(57)【特許請求の範囲】
【請求項１】
ゴミの捕集部と、捕集部の周囲に形成されるフランジ部と、起立状の取手部とを備えた排水目皿であって、取手部に指掛りとなる内向きの窪み部が形成されており、捕集部は上段部と下段部の２つの段部を備え、フランジ部は、その内周縁において下方に曲げられた曲げ部を介して環状の上部周壁に連続して接続されており、上部周壁の下端は水平に曲げられて上段部に連続して接続されており、上段部は、その内周縁から下方に曲げられ下部周壁に連続して接続され、下部周壁の下端は水平に曲げられて下段部に連続して接続されていることを特徴とする排水目皿。
【請求項２】
取手部が平面視で曲面に形成されていることを特徴とする請求項１に記載の排水目皿。
【請求項３】
取手部周辺の上段部に孔なし平面部を設けたことを特徴とする請求項１に記載の排水目皿。
【発明の詳細な説明】
【技術分野】
【０００１】
本発明は、毛髪、繊維くず、その他のゴミを捕集するゴミの捕集部を有し、例えば、浴室の洗い場や洗面ボウルなどの排水部に設置する排水目皿（ヘアキャッチャー）に関する。
【背景技術】
【０００２】
従来、浴室の排水部などに取り付けられ、排水のみを通して毛髪やその他のゴミを捕集するものとして、図１０（ａ）に示すような排水目皿が知られている。この排水目皿７０は、排水口への取り付け機能を有しかつ網目状排水孔７１を有する平坦なフランジ部７２と、逆円錐台曲面からなる傾斜壁面７３と、網目状排水孔７４を有する底部７５と、底部７５に設けられた取手部７６とから構成されている。この底部７５は、排水する機能とゴミを捕集する捕集部として機能を有する。
【０００３】
図１０（ａ）に示す排水目皿では、排水目皿７０は排水口の低い位置に設置され、しかも取手部７６が底部７５に設けられているので、取手部７６を把持する際に、排水口や捕集されたゴミに手が接触しやすい。
【０００４】
図１０（ｂ）に示す排水目皿８０は、平坦なフランジ部８２と、その内側の捕集部である網目状排水孔８１と、中心部にオーバフロー用排水筒８３を備えており、フランジ部８２から上方に起立し、その上端で外方（径方向側方）に伸びる取手部８４を設けている。この従来の排水目皿８０によれば、取手部８４が網目状排水孔８１より上方に設けられているから、図１０（ａ）に示す排水目皿７０に較べて、ゴミをより容易に衛生的に捨てることができる。
【０００５】
その他、従来、浴室の排水口に設置する排水目皿のような排水部材においては、取手部が外方に向けて突出するように設けられているものが多い。例えば、指先で抓むことができる抓み部が外方に向けて設けられたものが知られている（特許文献１参照）。また、取手部が捕集部やフランジ部から立ち上げられ、途中で外方に向けて水平に曲げられたものが知られている（特許文献２参照）。なお、取手部が上方に伸びて設けられているが、曲げ部を備えていないものも知られている（特許文献３参照）。
【先行技術文献】
【特許文献】
【０００６】
【特許文献１】特開２００５−３２５５２４号公報
【特許文献２】特開２００７−１８２７１１号公報
【特許文献３】特開２００７−１９２０２４号公報
【発明の概要】
【発明が解決しようとする課題】
【０００７】
上記のとおり、従来の排水目皿において、取手部が外方に向けて突出するように設けられているものが多いが、排水目皿の外周から外方に向けて突出するように設けられていると、排水口の形状によっては設置が制限されたり、設置できても、排水目皿を排水口に取り付けたり、取り外したりする際に排水口の内面に手が接触したり、取手部が接触して取り出しにくかったりする。
【０００８】
また、従来の排水目皿において、取手部が単に上方へ立ち上がっているのみの構成では、排水口からの外しは可能であるが、ゴミ捨て時に排水日皿を裏返す（逆さにひっくり返す）ことが困難であり、特に、片手で裏返すような場合には、手首に負担がかかるという問題が生じる。
【０００９】
本発明は上記従来の排水目皿における問題点を解決することを目的とするものであり、排水目皿を排水口に取り付けたり、取り外すときに、排水口の内面など周囲と手の接触が回避でき、また、ゴミ捨てのために排水目皿を上下方向に裏返す際、手首に負担がかからずゴミ捨てを容易にする排水目皿を実現する。
【課題を解決するための手段】
【００１０】
本発明は上記課題を解決するために、ゴミの捕集部と、捕集部の周囲に形成されるフランジ部と、起立状の取手部とを備えた排水目皿であって、取手部に指掛りとなる内向きの窪み部が形成されており、捕集部は上段部と下段部の２つの段部を備え、フランジ部は、その内周縁において下方に曲げられた曲げ部を介して環状の上部周壁に連続して接続されており、上部周壁の下端は水平に曲げられて上段部に連続して接続されており、上段部は、その内周縁から下方に曲げられ下部周壁に連続して接続され、下部周壁の下端は水平に曲げられて下段部に連続して接続されていることを特徴とする排水目皿を提供する。
【００１１】
取手部が平面視で曲面に形成されていることが好ましい。
【００１３】
取手部周辺の上段部に孔なし平面部を設けたことが好ましい。
【発明の効果】
【００１４】
本発明の排水目皿は、取手部が捕集部の周囲に形成されるフランジ部から上方に起立した起立部のみで形成されているため、排水目皿を排水口に取り付けたり、取り外すときに、周囲と手の接触が回避できる。また、取手部の中央付近には内向きの窪み部が設けられているため、ゴミ捨てのために排水目皿を上下方向に裏返す際、手首に負担がかからずゴミ捨てが容易になるという効果がある。
【図面の簡単な説明】
【００１５】
【図１】本発明の排水目皿の実施例１の構成を示す図であり、（ａ）は斜視図であり、（ｂ）は取手部の外面側から見た図であり、（ｃ）は取手部外面の斜視図である。
【図２】本発明の排水目皿の実施例１の構成を示す図であり、（ａ）は平面図であり、（ｂ）は（ａ）のＡ−Ａ断面図である。
【図３】（ａ）は排水ケースなどを排水口に取り付けた状態を示す図であり、（ｂ）は上記実施例１の排水目皿を排水口に取り付けた状態を示す図である。
【図４】本発明の排水目皿の実施例２の構成を示す図であり、（ａ）は斜視図であり、（ｂ）は取手部の外面側から見た図である。
【図５】本発明の排水目皿の実施例２の構成を示す図であり、（ａ）は平面図であり、（ｂ）は（ａ）のＡ−Ａ断面図である。
【図６】本発明の排水目皿の実施例３の構成を示す図であり、（ａ）は斜視図であり、（ｂ）は取手部の外面側から見た図である。
【図７】本発明の排水目皿の実施例３の構成を示す図であり、（ａ）は平面図であり、（ｂ）は（ａ）のＡ−Ａ断面図である。
【図８】本発明の排水目皿の実施例４の構成を示す図であり、（ａ）は斜視図であり、（ｂ）は取手部の外面側から見た図である。
【図９】本発明の排水目皿の実施例４の構成を示す図であり、（ａ）は平面図であり、（ｂ）は（ａ）のＡ−Ａ断面図である。
【図１０】（ａ）排水目皿の従来例の斜視図であり、（ｂ）は別の従来例の斜視図である。
【発明を実施するための形態】
【００１６】
本発明に係る排水目皿を実施するための形態を実施例に基づき図面を参照して、以下説明する。
【実施例１】
【００１７】
図１〜３は、本発明に係る排水目皿の実施例１を説明する図である。実施例１の排水目皿１は、フランジ部２、捕集部３、取手部４及び周壁６を備えており、図１及び図２に示すように、全体的にほぼ皿状に形成されている。                      
【００１８】
フランジ部２は、排水目皿１の上端において、径方向に水平に張りだした平坦な面を有する環状のフランジとして形成されており、その内周縁において下方に向けて曲げられた曲げ部５を介して、環状の周壁６に連続して接続されている。さらに、周壁６は捕集部３（底部）に連続して接続されている。周壁６は、図１（ｂ）及び図２（ｂ）に示すようにフランジ部２から捕集部３にかけてその直径が徐々に小さくなるように傾斜して形成されている。
【００１９】
この実施例１では、周壁６の上部に周方向に複数の排水孔３１が間隔をおいて形成されている構成を示すが、周壁６に排水孔３１が形成されていない構成としてもよい。排水目皿１を適用する排水口の使用状況（例えば、排水量が多いか少ないかなど）や設置対象箇所（例えば、浴室の洗い場、洗面ボウルなど）のような事情に応じて、周壁６に排水孔が形成されている構成としてもよいし、形成されていない構成としてもよい。後記する実施例２〜４では、周壁に排水孔が形成されていない構成を図示する。
【００２０】
フランジ部２の周方向の２箇所の下面には、突縁７が形成されている。この突縁７は、フランジ部２の下面から下方に突出し下端で外方に水平に張りだすように断面Ｌ字型であって、環状の周壁６の外面に沿うように平面視で湾曲状に形成されている。この突縁７は、後記するが、排水目皿１を排水ケース１５を介して排水口８に取り付ける際に、アダプタ９の受け溝２６内に嵌入される。これにより、フランジ部２は、アダプタ９と略面一となるようにして、排水目皿１が排水口８に取り付けられる（図３（ｂ）参照）。
【００２１】
捕集部３は、排水目皿１の底部１０に相当する部分であり、その上面に同心円状に複数の環状のリブ１１が上に凸に形成されており、互いに隣接するリブ１１の間に、複数の排水孔１２が周方向に間隔をおいて形成されている。捕集部３は、排水を排水孔１２を通過させて排出するとともに、排水とともに流されてくる毛髪などのゴミを捕集する機能を有する。リブ１１は、捕集したゴミを捕集部３の表面に密着しにくくさせて、排水目皿１の清掃性を高めるとともに、捕集部３の強度を向上する機能を有する。
【００２２】
図１（ａ）、（ｃ）及び図２（ａ）、（ｂ）に示すように、取手部４は、フランジ部２の上面であって、フランジ部２の外縁より少し内側（排水目皿１の中心側）に引っ込んだ位置から上方（略垂直方向上方）に起立して形成されている。即ち、取手部４は、その外面がフランジ部２の外縁より少し内側（排水目皿１の中心側）に引っ込んだ位置になるようにフランジ部２の上面から起立して形成されている。これにより、取手部４の外側（背面側）にフランジ部２の平坦な面１３が存在する。                 
【００２３】
なお、取手部４はフランジ部２のほぼ外縁から起立するように形成されていてもよいが、その場合は、取手部４はフランジ部２から外側にはみ出ないように形成されていることが好ましい。
【００２４】
排水目皿１の取手部４は、板状でフランジ部２から上方に向けて起立して形成されている。この実施例１では取手部４は薄板状で、図２（ａ）に示すとおり、その外面がフランジ部２の周縁に沿うように平面視で曲面に形成されている。そして、取手部４の外面には、図１（ａ）、（ｃ）、図２（ｂ）に示すように、その上下方向の中央付近に指掛りとなる内向きの窪み部１４が形成されている。
【００２５】
具体的には、取手部４はフランジ部２の上面から上方に起立しているが、その上下方向の外面には、内側（排水目皿１の中心側）に向けて断面視で凸状に湾曲した内向きの窪み部１４が、取手部４の横幅方向全体にわたって形成されている。この窪み部１４は、使用者が指を入れて指掛りとなるような適宜の上下方向の幅Ｗ及び深さＤで形成されている。
【００２６】
なお、実施例１の排水目皿１は、捕集部３が底部１０のみ一段から成る構成としているが、後記する実施例４に示す排水目皿６０のように、捕集部３を、底部１０と、その上方にさらに段部を設けた複数の段部から成る構成としてもよい。
【００２７】
（作用）
以上の構成から成る排水目皿１を排水口８へ装着する手段、及び排水目皿１の作用について、図３を中心にして以下説明する。排水口８に排水ケース１５を設置してから、排水目皿１を、アダプタ９を介してこの排水ケース１５に装着し排水口８に取り付ける。そのためには、まず、図３（ａ）に示すように、排水ケース１５のフランジ１６とアダプタ９のフランジ１７との間に、シール１８を介して、排水口８に形成された棚部１９を挟んだ状態とする。
【００２８】
そして、排水ケース１５のフランジ１６の内周面に形成されたネジ２０に、上方からアダプタ９の外周面に形成されたネジ２１を螺合し、棚部１９を締め付けるようにして、アダプタ９を排水ケース１５のフランジ１６に締着する。これにより、排水ケース１５は、排水口８内に設置される。この排水ケース１５内に、下端が開口した排水筒２２が、その上端のフランジ２３をシール２４を介してアダプタ９の下端フランジ２５に引っかけるようにして装着する。
【００２９】
そして、図３（ｂ）に示すように、排水目皿１の湾曲状の突縁７を、アダプタ９の内面において周方向に形成された受け溝２６内に、水平回動するようにして嵌入し、排水目皿１をアダプタ９に装着する。これにより、排水目皿１は、排水ケース１５に取り付けることができる。
【００３０】
図３（ｂ）に示すように、排水蓋２７の周囲から排水口８内に流れ込んだ排水は、排水目皿１内に、そのフランジ部２の上方から流れ込み、さらに捕集部３に流れ落ち、複数の排水孔１２を通過して排水筒２２内に排出される。そして、排水は排水筒２２の下方から排水ケース１５の堰部２８を越えて外側に流れ、排出管２９から排水路などに排出される。
【００３１】
排水とともに排水目皿１内に流れ込み、捕集部３の排水孔１２を通過できない毛髪などのゴミは、捕集部３で捕集される。そして、排水目皿１を清掃する際には、排水目皿１をアダプタ９から取り外して捕集部３で捕集されたゴミを取り除けばよい。
【００３２】
ところで、本発明の排水目皿１においては、取手部４がフランジ部２から上方に起立して形成され、排水目皿１から外側に向けて伸びる部分などないために、使用者は、排水目皿１を排水口８に取り付けたり、取り外したりする際に、排水口８の内面など周囲の部分に手を接触することが回避でき、手が汚れず衛生的である。
【００３３】
取手部４がフランジ部２から上方に起立して設けられているのみでは、ゴミ捨て時に排水目皿１を上下方向に裏返す際、手首に負担がかかったりする。しかし、本発明の排水目皿１においては、取手部４の中央付近に内向きの窪み部１４が設けられているので、使用者はこの窪み部１４に指を掛けることで、手首に負担がかからずゴミ捨てが容易になる。
【００３４】
そして、取手部４がフランジ部２から上方に起立して設けられているのみでは、取手部４に水が付着していると指で把持する際に滑りやすい。しかし、本発明の排水目皿１においては、取手部４の上下方向の中央付近には内向きの窪み部１４が設けられているので、使用者はこの窪み部１４に指を掛け、しっかりと掴むことができるので、水が取手部４に付着していても滑りにくくなり、取り外しやゴミ捨ての作業などがし易い。
【００３５】
さらに、取手部４をフランジ部２の外縁より内側に引っ込っんだ位置に起立して設けたので、取手部４の外面側から流れ込む排水が、排水目皿のフランジ部２とアダプタ９の隙間３０（図３（ｂ）参照）よりさらに内側に流れ込んだ位置で滞留し、この滞留した排水中に、排水とともに流れてきた毛髪などのゴミを浮遊させながら取手部４の外面側から左右に廻りこみながら排水目皿１内に流れ込み易くなる。
【００３６】
特に、本発明の排水目皿１の取手部４は、その外面がフランジ部２の周縁に沿うように平面視で曲面に形成されているから、取手部４の外面側から流れてくる排水は、取手部４の外面から左右両側方に滑らかに誘導され、排水目皿１内に流れ込ませることができる。従って、毛髪などのゴミは、フランジ部２とアダプタ９ の間の隙間内に入り込んで絡んだり、取手部４に絡んだり付着したりしにくくなり、捕集部３に集まり易く、清掃性が高まる。
【実施例２】
【００３７】
図４及び図５は、本発明に係る排水目皿の実施例２を説明する図である。この実施例２の排水目皿４０は、実施例１の排水目皿１とほぼ同じ構成であり、取手部４１は、薄肉状で、フランジ部２の外縁から少し内側の位置から上方に向けて起立して形成されているが、取手部４１に形成されている窪み部４２の構成において異なる。以下、実施例２について、実施例１と異なる取手部４１の窪み部４２の構成を中心に説明し、実施例１と同じ構成は符号を同じとし、その説明を省略する。
【００３８】
上記実施例１の排水目皿１においては、取手部４１の外面の上下方向中央付近に、内側に向けて断面視で凸状に湾曲した窪み部１４が形成されているが、この窪み部１４は取手部４の横幅方向全体にわたって形成されている（図１（ｃ）参照）。
【００３９】
しかしながら、実施例２の排水目皿４０においては、取手部４１の外面は、平面視でフランジ部２の外縁に沿うように湾曲状に形成されており、その上下方向かつ横幅方向の中央付近に、内側に向けて断面視で凸状に湾曲した窪み部４２が形成されている。窪み部４２は、その内面に使用者が指を当接することからすると、図４（ｂ）に取手部４１の外面側から見た形状を示すように、長円、楕円、或いは円であることが好ましい。
【００４０】
実施例２の排水目皿４０においても、実施例１の排水目皿１と同様の作用、効果が生じるが、さらに加えて次のような効果が生じる。即ち、排水目皿４０を、図３（ａ）に示す排水ケース１５に装着したり取り外す際には、その湾曲状の突縁７をアダプタ９の受け溝２６に嵌入して水平回動するが、この際、窪み部４２によれば、その回動方向の内側面にも指掛けして側方に力を加えることができるので、簡単、確実に回動することができる。
【００４１】
なお、実施例２の排水目皿４０についても、捕集部を後記する実施例４の排水目皿のように、複数の段部から成る構成としてもよい。実施例２の周壁６は、実施例１の周壁６に形成されているような排水孔を設けていない。しかし、図示はしないが、周壁６の例えば上部に、周方向に複数の排水孔を間隔をおいて設けるような構成としてもよい。
【実施例３】
【００４２】
図６及び図７は、本発明に係る排水目皿の実施例３を説明する図である。この実施例３の排水目皿５０は、実施例１の排水目皿１とほぼ同じ構成であるが、取手部５１の構成において異なる。以下、実施例３の排水目皿５０について、実施例１と異なる取手部５１の構成を中心に説明し、実施例１と同じ構成は符号を同じとし、その説明を省略する。
【００４３】
実施例３の排水目皿５０の取手部５１は、その外面が実施例１の排水目皿１と同様に、フランジ部２の外縁から少し内側に入った位置から起立して形成されている。しかし、実施例３の排水目皿５０の取手部５１は厚板状に形成されている。取手部５１の内面は、フランジ部２の内縁とほぼ同じ位置にある。取手部５１の内面を周壁６内面から連続的に接続されるように形成されていてもよい。
【００４４】
そして、厚板状の取手部５１の外面は、平面視でフランジ部２の外縁に沿うように湾曲状に形成されており、その中央付近に指掛りとなる内向きの窪み部５２が形成されている。この窪み部５２は、図６（ｂ）に取手部５１の外面側から見た形状を示すように、長円、楕円、或いは円であることが好ましい。
【００４５】
実施例３の排水目皿５０においても、実施例１及び実施例２の排水目皿と同様の作用、効果が生じる。また、排水目皿５０を排水ケース１５に装着したり取り外す際に、取手部５１が厚板状に形成されることにより、薄板状の取手部に比べて把持し易くなる（回動時に力が入り易くなる）。
【００４６】
なお、実施例３の排水目皿５０についても、捕集部を後記する実施例４の排水目皿６０のように、複数の段部から成る構成としてもよい。実施例３の周壁６は、実施例１の周壁６に形成されているような排水孔を設けていない。しかし、図示はしないが、周壁６の例えば上部に、周方向に複数の排水孔を間隔をおいて設けるような構成としてもよい。
【実施例４】
【００４７】
図８及び図９は、本発明に係る排水目皿の実施例４を説明する図である。この実施例４の排水目皿６０は、実施例１の排水目皿１と同様に、ゴミの捕集部、捕集部の周囲に形成されるフランジ部、起立状の取手部、及び周壁とを備えており、取手部に指掛りとなる内向きの窪み部が形成されている。
【００４８】
しかし、実施例４に係る排水目皿６０は、捕集部６１が複数の段部を備えている。以下、実施例４について、複数の段部として、上段部６２と下段部６３（底部）の２つの段部を備えた捕集部６１の構成を中心に説明する。実施例１と同じ構成は符号を同じとし、その説明を省略する。
【００４９】
図８（ａ）に示すように、フランジ部２は、その内周縁において下方に向けて曲げられた曲げ部５を介して、環状の上部周壁６４に連続して接続されている。捕集部６１は上部周壁６４の下端から水平に曲げられて、上段部６２に連続して接続されている。この上段部６２は、排水目皿６０において、最上部であるフランジ部２と、最下部である下段部６３との間の高さに位置する、いわば中間の段部である。
【００５０】
なお、捕集部６１のうち上段部６２は、下段部６３のように毛髪などのゴミを直接捕捉する作用を行うものではなく、排水を上段部６２に沿うように流して、毛髪などのゴミを浮かせながら下段部６３に誘導することで、毛髪などのゴミを下段部６３で一括して捕集し易くする補助的な機能を有するものである。
【００５１】
本実施例４では、図８（ａ）に示すように、上段部６２からフランジ部２にかけた部分において取手部６５が上方に起立して形成されているが、この取手部６５の周辺部（取手部６５の左右の付近部分であり、本願発明では「孔なし平面部」という）６９を除いて、複数の排水孔６６が周方向に間隔をおいて設けられており、上段部６２に沿って流れる排水の一部が通過可能に構成されている。しかし、上段部６２に排水孔６６を設けない構成としてもよい。排水孔６５を設けるか否か、その数、形状、位置などは、排水目皿６０が設置される場所（例．浴室の洗い場、洗面ボウル等）や排水量などによって適宜設計される事項である。
【００５２】
上段部６２は、その内周縁から下方に向けて曲げられ下部周壁６７に連続し、さらに、下部周壁６７の下端は水平に向けて形成され、下段部６３に連続して接続されている。下部周壁６７は、垂直面又は傾斜面で形成され、排水孔は形成されていない。なお、図示しないが、下部周壁６７の例えば上部に、複数の排水孔を周方向に間隔をおいて設ける構成としてもよい。
【００５３】
下段部６３は、排水目皿６０の底部に相当する部分であり、実施例１の捕集部３と同様に、その上面に同心円状に複数の環状のリブ１１が上に凸に形成されており、互いに隣接するリブ１１の間に、上記複数の排水孔１２が周方向に間隔をおいて形成されている。下段部６３は、排水孔６６を通過させて排水を排出するとともに、ゴミを捕集する機能を有する。
【００５４】
図８（ａ）及び図９（ａ）、（ｂ）に示すように、取手部６５は外観は厚板状であるが内部に空洞部を有し、上段部６２からフランジ部２にかけた部分から上方に起立して形成されている。取手部６５の外面はフランジ部２の外縁より少し内側（排水目皿６０の中心側）に引っ込んだ位置にあり、取手部６５の外側にフランジ部２の平坦な面１３が存在するように形成されている。また、取手部６５の内面は上段部６２のほぼ内縁の位置にある。
【００５５】
取手部６５の外面は、図９（ａ）に示すように、平面視でフランジ部２の外縁に沿うように湾曲状に形成されており、その中央付近に指掛りとなる内向きの窪み部６８が形成されている。この窪み部６８は、図８（ｂ）に取手部６５の外面側から見た形状を示すように、円、長円、或いは楕円であることが好ましい。
【００５６】
図３（ｂ）に示すように、実施例１の排水目皿１はアダプタ９を介して排水ケース１５に装着して排水口８に取り付けて使用するが、実施例４の排水目皿６０も実施例１の排水目皿１と同様に、アダプタ９を介して排水ケース１５に装着して排水口８に取り付けて使用する。
【００５７】
実施例４の排水目皿６０の取手部６５は上方に起立し、その外面には、指掛りとなる内向きの窪み部６８が形成されているから、上記実施例１〜３の排水目皿と同様に、排水口８の内面などの周辺に手を接触することなく、アダプタ９を介して排水ケース１５に装着し排水口に取り付けたり、又は取り外ししたりすることできる。
【００５８】
またゴミ捨て時に排水目皿６０を上下方向に裏返す際、使用者はこの窪み部６８に指を掛けることで、手首に負担がかからず滑りにくく、ゴミ捨てが容易となるという作用、効果が生じる。
【００５９】
取手部６５の内面を上段部６２に位置させるように、取手部６５が上段部６２からフランジ部２にかけた部分において上方に起立して形成されているので、取手部６５の外面側から孔なし平面部６９にかけて排水の保有水量が増加し、髪の毛を浮かせながら流して下段部６３に誘導可能となり、取手部６５への髪の毛の絡みや付着を防止することができる。特に、本実施例４のように、取手部６５の周辺に孔なし平面部６９が形成されていると、保有水量は増加し易くなり、髪の毛を浮かせながら流し、取手部６５への髪の毛の絡みや付着を防止する効果は大きい。
【００６０】
以上、本発明に係る排水目皿を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６１】
本発明に係る排水目皿は上記のような構成であるから、浴室の洗い場の床に設けた排水口だけでなく、洗面ボウル、キッチンのシンクなどの排水口にも適用可能である。
【符号の説明】
【００６２】
（実施例１）
１  排水目皿                        
２  フランジ部                      
３  捕集部                          
４  取手部                          
５  曲げ部                          
６  周壁                        
７  突縁                            
８  排水口                          
９  アダプタ
１０  排水目皿の底部
１１  環状のリブ
１２  排水孔
１３  取手部外面側におけるフランジ部の平坦な面
１４  窪み部
１５  排水ケース
１６  排水ケースのフランジ
１７  アダプタのフランジ
１８  シール
１９  排水口の棚部
２０  排水ケースのネジ
２１  アダプタのネジ
２２  排水筒
２３  排水筒のフランジ
２４  シール
２５  アダプタ下端のフランジ
２６  アダプタの受け溝
２７  排水蓋
２８  排水ケースの堰部
２９  排出管
３０  フランジ部とアダプタの隙間
３１  排水孔
（実施例２）
４０  排水目皿
４１  取手部
４２  窪み部
（実施例３）
５０  排水目皿
５１  取手部
５２  窪み部
（実施例４）
６０  排水目皿
６１  捕集部
６２  上段部
６３  下段部
６４  上部周壁
６５  取手部
６６  排水孔
６７  下部周壁
６８  窪み部
６９  孔なし平面部 
（従来例）
７０、８０  排水目皿
７１、７４、８１  網目状排水孔
７２、８２  フランジ部
７３  傾斜壁面
７５  底部
７６、８４  取手部
８３  オーバフロー用排水筒
【図１】
0005504707.tif 000002
【図２】
0005504707.tif 000003
【図３】
0005504707.tif 000004
【図４】
0005504707.tif 000005
【図５】
0005504707.tif 000006
【図６】
0005504707.tif 000007
【図７】
0005504707.tif 000008
【図８】
0005504707.tif 000009
【図９】
0005504707.tif 000010
【図１０】
0005504707.tif 000011